(57)【要約】【課題】止水膜の損壊を長期間防止する。【解決手段】遊間用止水材を橋桁３０と橋桁３０との間の遊間に設ける。遊間用止水材は止水膜２１を有する。止水膜２１を橋桁３０から突出させる。突出した止水膜２１を鉛直上方に折返す。折返した止水膜２１を第１の長手方向に沿ってたるませた状態で止水膜２１の両端部を橋桁３０に固定する。止水膜２１の外側を保護シート１１で覆う。保護シート１１を長手方向に沿ってたるませた状態で保護シートの両端部を橋桁３０に固定する。止水膜２１と保護シート１１とを互いに接着する。【選択図】図６
2011001722.tif 000002
【特許請求の範囲】
【請求項１】
橋梁の長手方向である第１の長手方向に並べられる第１、第２の橋桁の間または前記第１の橋桁および橋台の間の遊間において前記第１の長手方向に沿ってたるませた状態で前記橋梁の幅方向である第１の幅方向に延設され、前記第１の橋桁と前記第２の橋桁または前記橋台とから前記第１の幅方向に突出し、前記第１の幅方向に突出する突出部位が前記橋梁の厚さ方向である第１の厚さ方向に折返され、折返された前記突出部位を前記第１の長手方向に沿ってたるませた状態で前記第１の橋桁と前記第２の橋桁または前記橋台とに固着される止水機能を有する膜を保護する保護シートであって、
前記第１の長手方向に沿ってたるませた状態で前記突出部位の少なくとも一部を外側から覆うように前記第１の橋桁と前記第２の橋桁または前記橋台とに固着され、弾性部材によって形成される
ことを特徴とする保護シート。
【請求項２】
前記止水機能を有する膜および前記保護シートの前記突出部位の折返し方向における端部は互いに重なることを特徴とする請求項１に記載の保護シート。
【請求項３】
前記止水機能を有する膜および前記保護シートのいずれか一方の前記突出部位の折返し方向における端部である第１の端部が、他方の表面に付着されることを特徴とする請求項１または請求項２に記載の保護シート。
【請求項４】
前記第１の端部は前記他方の表面に接着されることを特徴とする請求項３に記載の保護シート。
【請求項５】
前記止水機能を有する膜および前記保護シートのいずれか一方の前記突出部位の折り返し方向における端部である第２の端部が、他方の端部である第３の端部より前記突出部位の折返し方向に向かって延ばされ、
前記第３の端部を挟むように前記第２の端部を折返すことにより、前記第３の端部が前記第１の端部として前記他方の表面に付着される
ことを特徴とする請求項３に記載の保護シート。
【請求項６】
前記保護シートは、実質的に前記突出部位全面を覆うことを特徴とする請求項１〜請求項５のいずれか１項に記載の保護シート。
【請求項７】
前記保護シートは、実質的に前記突出部位全面および前記止水機能を有する膜を備える止水材の前記第１の幅方向の全表面を覆うことを特徴とする請求項１〜５のいずれか１項に記載の保護シート。
【請求項８】
耐候性を有する部材によって形成されることを特徴とする請求項１〜請求項７のいずれか１項に記載の保護シート。
【請求項９】
ゴムまたは金属によって形成されることを特徴とする請求項１〜請求項８のいずれか１項に記載の保護シート。
【請求項１０】
前記保護シートにおける前記止水機能を有する膜に付着される部位は、前記止水機能を有する膜のたるみ形状と一致するように成形されることを特徴とする請求項３〜請求項９のいずれか１項に記載の保護シート。
【請求項１１】
橋梁の長手方向である第１の長手方向に並べられる第１、第２の橋桁の間または前記台１の橋桁および橋台の遊間において前記第１の長手方向に沿ってたるませた状態で前記橋梁の幅方向である第１の幅方向に延設され、前記第１の橋桁と前記第２の橋桁または前記前記橋台とから前記第１の幅方向に突出し、前記第１の幅方向に突出する突出部位が前記橋梁の厚さ方向である第１の厚さ方向に折返され、折返された前記突出部位を前記第１の長手方向に沿ってたるませた状態で前記第１の橋桁と前記第２の橋桁または前記橋台とに固着される止水機能を有する膜と、
前記第１の長手方向に沿ってたるませた状態で前記突出部位の少なくとも一部を外側から覆うように前記第１の橋桁と前記第２の橋桁または前記橋台とに固着され、弾性部材によって形成される保護シートとを備える
ことを特徴とする遊間用止水材ユニット。
【請求項１２】
前記止水機能を有する膜は前記遊間において前記止水機能を有する膜の前記第１の長手方向の長さより短い伸縮体に接着され、前記突出部位は前記伸縮体の前記第１の長手方向の長さ以上の部位をたるませた状態で前記第１の橋桁と前記第２の橋桁または前記橋台とに固着されることを特徴とする請求項１１に記載の遊間用止水材ユニット。
【請求項１３】
前記止水機能を有する膜の折返し部位に挿通される排出パイプを備えることを特徴とする請求項１１または請求項１２に記載の遊間用止水材ユニット。
【発明の詳細な説明】
【技術分野】
【０００１】
本発明は、橋梁などの伸縮継目に形成される遊間から雨水などの落下を防止するための止水膜を日光や風から保護する保護シートに関する。
【背景技術】
【０００２】
道路橋や道路高架橋は、温度変化に起因して膨張や収縮が生じる。そこで、これらの膨張および収縮を吸収するために、図１６に示すように、橋桁３０と橋桁３０との間、および橋桁３０と橋台５０との間に遊間４０が設けられている。遊間４０の表面には、遊間距離の変化に対応できるように、互いに噛合うように配置された一対の櫛歯鋼板により構成される伸縮装置（図示せず）が配置されている。
【０００３】
橋梁に降水した雨水が伸縮装置の間から遊間４０を介して下方に漏水すると、橋桁の桁床板および橋桁の支柱部分が腐食して損傷する。そこで、遊間４０には漏水を防止するための遊間用止水材（図示せず）が設けられることが一般的である（特許文献１参照）。
【０００４】
図１７に示すように、遊間用止水材２０’は、止水膜２１’の両面に上部層２３’および下部層２２’を接着することにより形成される。遊間用止水材２０’の長さは遊間用止水材２０’を設置する橋桁３０の幅と略同じ長さになるように、また幅は伸縮装置の最大伸張幅より長くなるように、遊間用止水材２０’は形成される。
【０００５】
図１８に示すように、遊間用止水材２０’は、遊間用止水材２０’の幅方向に圧縮させた状態で遊間４０に圧入される。
【０００６】
止水膜２１’は止水機能を有する。止水膜２１’は、橋桁３０の両端から突出する長さに形成される。突出した止水膜２１’が上方に折返され、止水膜２１’の折り返し部位が橋桁３０の側面に密着させた状態で固定される。橋桁３０の両端において止水膜２１’を折り返して密着させることにより、伸縮装置から降水した水が止水される。
【０００７】
止水膜２１’は、圧縮させた状態で遊間４０に圧入されており、緩み皺が生じる。緩み皺を残したまま、止水膜２１’の突出部位は上方に折り返され、橋桁３０の側面に密着される。止水膜２１’の緩み皺を残した状態で密着させることにより、遊間４０の間隔の変化が吸収される。
【０００８】
止水膜２１’は、日光や風により劣化するため、止水膜２１’の表面にはシーリング材が塗布される。緩み皺のために、止水膜２１’の上から塗布されたシーリング材は塗布した位置によって厚さが異なる。それゆえ、厚さがより薄い部位に大きな応力が作用し、強く負荷がかかる。また、シーリング材が劣化により硬化すると、さらに一部の部位への負荷が大きくなる。このように、一部の部位に大きな負荷がかかり、亀裂や破断が生じることが問題であった。
【０００９】
また、遊間止水材の取付け時の温度が高いときは低いときに比べて、遊間４０の間隔が狭い。そのため、温度が高いときに取付けた遊間止水材においては、止水膜２１’に大きな緩み皺が生じる。ときには、隣接する緩み皺が接触することもある。このような状態でシーリング材を塗布することにより緩み皺同士が癒着することにより、遊間４０の間隔の変化の吸収可能な長さが低下していた。その結果、止水膜２１’が過剰に伸張され、一部への部位にかかる負荷がさらに大きくなることが問題であった。
【先行技術文献】
【特許文献】
【００１０】
【特許文献１】特開平０７−３３１７５８号公報
【発明の概要】
【発明が解決しようとする課題】
【００１１】
したがって、本発明では止水膜の損壊を長期間防止する保護シートの提供を目的とする。
【課題を解決するための手段】
【００１２】
本発明の保護シートは、橋梁の長手方向である第１の長手方向に並べられる第１、第２の橋桁の間または前記第１の橋桁および橋台の間の遊間において第１の長手方向に沿ってたるませた状態で橋梁の幅方向である第１の幅方向に延設され第１の橋桁と前記第２の橋桁または前記橋台とから第１の幅方向に突出し第１の幅方向に突出する突出部位が橋梁の厚さ方向である第１の厚さ方向に折返され折返された突出部位が第１の長手方向に沿ってたるませた状態で第１の橋桁と前記第２の橋桁または前記橋台とに固着される止水機能を有する膜を保護する保護シートであって、第１の長手方向にたるませた状態で突出部位の少なくとも一部を外側から覆うように第１の橋桁と前記第２の橋桁または前記橋台に固着され、弾性部材によって形成されることを特徴としている。
【００１３】
なお、止水機能を有する膜および保護シートのいずれか一方の突出部位の折返し方向における端部である第１の端部が他方の表面に付着されることが好ましい。さらに、第１の端部は他方の表面に接着されることが好ましい。あるいは、止水機能を有する膜および保護シートのいずれか一方の端部である第２の端部が他方の端部である第３の端部より突出部位の折返し方向に向かって延ばされ、第３の端部を挟むように第２の端部を折返すことにより第３の端部が第１の端部として他方の表面に付着されることが好ましい。
【００１４】
また、保護シートは実質的に突出部位全面を覆うことが好ましい。
【００１５】
本発明の遊間用止水材ユニットは、橋梁の長手方向である第１の長手方向に並べられる第１、第２の橋桁の間または第１の橋桁および橋台の間の遊間において第１の長手方向にたるませた状態で橋梁の幅方向である第１の幅方向に延設され第１、第２の橋桁から第１の幅方向に突出し第１の幅方向に突出する突出部位が橋梁の厚さ方向である第１の厚さ方向に折返され折返された突出部位が第１の長手方向に沿ってたるませた状態で第１の橋桁と第２の橋桁または橋台とに固着される止水機能を有する膜と、第１の長手方向に沿ってたるませた状態で突出部位の少なくとも一部を外側から覆うように第１の橋桁と第２の橋桁または橋台とに固着され弾性部材によって形成される保護シートとを備えることを特徴としている。
【発明の効果】
【００１６】
本発明によれば、遊間の間隔の変化を、止水機能を有する膜と保護シートのたるみにより吸収することが可能である。したがって、止水機能を有する膜および保護シートそのものが伸縮することが無く、止水機能を有する膜および保護シートの一部に高い負荷がかからないので、止水機能を有する膜の損壊を長期間防ぐことが可能になる。
【図面の簡単な説明】
【００１７】
【図１】本発明の第１の実施形態を適用した保護シートおよび遊間用止水材ユニットの斜視図である。
【図２】遊間用止水材の斜視図である。
【図３】第１の遊間を有する橋桁の斜視図である。
【図４】幅方向に収縮させた遊間用止水材の斜視図である。
【図５】第１の遊間を拡大した斜視図であって、橋梁から突出する止水膜を橋桁に固定した状態を説明するための図である。
【図６】第１の遊間を拡大した斜視図であって、折返された止水膜の外側に保護シートを設けた状態を説明するための図である。
【図７】第１の遊間に遊間用止水材ユニットを設けた状態の平面図であって、第１の遊間が収縮したときの止水膜および保護シートの変形状態を説明するための図である。
【図８】第１の遊間に遊間用止水材ユニットを設けた状態の平面図であって、第１の遊間が離間したときの止水膜および保護シートの変形状態を説明するための図である。
【図９】第１の遊間を拡大した斜視図であって、第２の実施形態において橋梁から突出する止水膜を橋桁に固定した状態を説明するための図である。
【図１０】第１の遊間における橋梁の幅方向に沿った断面図であって、折返された止水膜が保護シートより上方に張出された状態を説明するための図である。
【図１１】第１の遊間における橋梁の幅方向に沿った断面図であって、上方に張出された止水膜を外側に折返して保護シートの上端を挟み込んだ状態を説明するための図である。
【図１２】第１の遊間における橋梁の幅方向に沿った断面図であって、保護シートが折返された止水膜の上端より上方に張出された状態を説明するための図である。
【図１３】第１の遊間における橋梁の幅方向に沿った断面図であって、上方に張出された保護シートを内側に折返して止水膜の上端を挟み込んだ状態を説明するための図である。
【図１４】第２の遊間を有する橋梁の斜視図である。
【図１５】第２の遊間における橋梁の幅方向に沿った断面図であって、遊間用止水材を端部において上方に屈曲させた状態を説明するための図である。
【図１６】橋梁の構成を説明するための斜視図である。
【図１７】従来の遊間用止水材の斜視図である。
【図１８】遊間を拡大した橋梁の側面図であって、従来の遊間用止水材の取付け方法によって止水膜を橋桁から突出させて上方に折返した状態を説明する図である。
【発明を実施するための形態】
【００１８】
以下、本発明の実施形態について図面を参照して説明する。
図１は、本発明の第１の実施形態を適用した保護シートおよび遊間用止水材ユニットの概略構成を示す斜視図である。
【００１９】
なお、以下の説明において、橋桁の長手方向、幅方向、および厚さ方向をそれぞれ第１の長手方向、第１の幅方向、および第１の厚さ方向とする。また、遊間用止水材の長手方向、幅方向、および厚さ方向をそれぞれ第２の長手方向、第２の幅方向、第２の厚さ方向とする。
【００２０】
遊間用止水材ユニット１０は、遊間用止水材２０および保護シート１１によって構成される。遊間止水材２０の第２の長手方向の両端部を保護シート１１によって覆うことにより、遊間用止水材ユニット１０は形成される。
【００２１】
図２に示すように、遊間用止水材２０は、止水膜２１、下部層２２、および防塵層２３によって形成される。止水膜２１の両面には、下部層２２および防塵層２３が貼着される。下部層２２は伸縮フォーム体２２ａの第２の幅方向の両端部に支柱体２２ｂを貼着することにより形成される。
【００２２】
止水膜２１は、シート状の弾性部材、例えば膜厚０．５ｍｍのポリクロロプレンゴムによって形成される。伸縮フォーム体２２ａおよび防塵層２３は伸縮性の大きな発泡体によって形成される。支柱体２２ｂは、伸縮フォーム体２２ａよりも弾性の高い部材によって形成される。
【００２３】
止水膜２１、下部層２２、および防塵層２３の第２の幅方向の長さは互いに一致し、伸縮装置（図２において図示せず）の最大伸張幅より長くなるように形成される。また、下部層２２および防塵層２３の第２の長さ方向の長さは互いに一致するように形成される。
【００２４】
止水膜２１の第２の長手方向の長さは下部層２２および防塵層２３より長くなるように形成され、第２の長手方向の両端部が下部層２２および防塵層２３から突出する。また、伸縮フォーム体２２ａと支柱体２２ｂとは、第２の厚さ方向の長さが一致するように形成される。
【００２５】
図３に示すように、遊間用止水材２０が取付けられる橋桁３０の第１の幅方向の両端部に、地覆３２が設けられる。地覆３２は、第１の長手方向において橋桁３０より長くなるように、形成されることがある。互いに隣合う橋桁３０の間に第１の遊間４０ａが形成され、互いに隣合う地覆３２の間に第２の遊間４０ｂが形成される。
【００２６】
地覆３２が橋桁３０より長い場合には、第２の遊間４０ｂの幅（符号Ｌ２参照）は、第１の遊間４０ａの幅（符号Ｌ１参照）より短い。遊間用止水材２０は、第２の幅方向に収縮させた状態（図４参照）で、第１の遊間４０ａに圧入される。遊間用止水材２０は、地覆３２の下方において橋桁３０の第１の幅方向の両端部まで延ばされる。さらに、遊間用止水材２０の止水膜２１のみが、橋桁３０から突出する。
【００２７】
橋桁３０から突出する止水膜２１は、第１の厚さ方向である鉛直方向の上方に折返される。図５に示すように、折返された止水膜２１が地覆３２の側面に密着させた状態で固定される。なお、止水膜２１の折り返し部位と地覆３２側面とは接着剤を用いた接着により密着される。また、止水膜２１の折り返し部位の第１の長手方向における両端近辺が支柱体２４の鉛直上方に固定される。
【００２８】
前述のように止水膜２１の折り返し部位を固定させることにより、互いに対向する橋桁３０の第１の長手方向の端面と遊間用止水材２０とによって形成される溝の両端が閉鎖される。両端を閉鎖することにより、遊間用止水材２０、止水膜２１、および橋桁３０の端面によって槽（図示せず）が形成され、伸縮装置から降水した水は槽内に滞留し、止水される。
【００２９】
なお、地覆３２にはコンクリートアンカー（図示せず）が設けられる。折返された止水膜２１には、後述するように、保護シート（図５において図示せず）が被せられ、保護シートの上から押さえフラットバー３３が当着される。押さえフラットバー３３とともに止水膜２１および保護シートにコンクリートアンカーを挿通させ、ナット３４をコンクリートアンカーに螺着させることにより、止水膜２１が地覆３２の側面に固定される。
【００３０】
なお、遊間用止水材２０を第２の幅方向に圧縮させて第１の遊間４０ａに圧入することにより、止水材２１の折り返し部位には緩み皺が生じる。上述のように止水膜２１を地覆３２に固定することにより、止水膜２１の折り返し部位に生じた緩み皺は両押さえフラットバー３３の間で維持される。折り返し部位の上端において、折り返し部位を地覆３２側面から離れた方向に湾曲させられる。第１、第２の遊間４０ａ、４０ｂの間隔の変化は、止水膜２１の湾曲部分によって吸収される。
【００３１】
保護シート１１は矩形のシート状に形成される。保護シート１１の第１の辺は止水膜２１の折返し部位の上端の長さより長くなるように形成される。また、保護シート１１の第２の辺は止水膜２１の折返し部位の上端から下部層２２の下端までの長さより長くなるように、形成される。また、保護シート１１は、耐侯性のある弾性部材、例えばＥＰＤＭやクロロプレンゴムなどのゴム、または金属部材によって形成される。
【００３２】
図６に示すように、保護シート１１は折返した止水膜２１の外側に設けられる。折返した止水膜２１の上端と第１の辺が重なるように、保護シート１１は設けられる。折返した止水膜２１上端の湾曲部分と第１の辺の一部は、接着材またはシーリング材により接着され、一体化される。
【００３３】
保護シート１１の接着部位を第１の幅方向に湾曲させた状態で、保護シート１１の第２の長手方向における両端部が橋桁３０および地覆３２の側面に固定される。なお、保護シート１１は、折返された止水膜２１と同様に、押さえフラットバー３３によって橋桁３０の側面に固定される。
【００３４】
以上のような構成の第１の実施形態の保護シートおよび遊間用止水材ユニット１０によれば、折返された止水膜２１の上端の湾曲部分に追従して、保護シート１１の上端の湾曲部分が変形する。
【００３５】
したがって、止水膜２１および保護シート１１そのものが伸縮すること無く、湾曲部分が弛緩（図７参照）、または伸張（図８参照）することにより、第１、第２の遊間４０ａ、４０ｂの間隔の変化が吸収可能となる。したがって、止水膜２１および保護シート１１の一部に高い負荷がかからないので、止水膜２１の損壊を長期間防ぐことが可能である。
【００３６】
次に本発明の第２の実施形態を適用した遊間用止水材ユニットについて説明する。第２の実施形態の遊間用止水材ユニットには、排水パイプが設けられる点において第１の実施形態と異なる。以下に、第１の実施形態と異なる点を中心に説明する。なお、以下の説明において同じ機能を有する部位には同じ符号を付する。
【００３７】
遊間用止水材２０の構成は、第１の実施形態と同じである。第１の実施形態と同様に、遊間用止水材２０を第２の幅方向に収縮した状態で、第１の遊間４０ａに圧入される。また、第１の実施形態と同じく、止水膜２１が橋桁３０から突出する。
【００３８】
図９に示すように、橋桁３０から突出する止水膜２１は、排水パイプ１２を挟みながら、鉛直上方に折返される。なお、排水パイプ１２の一端が、折返し部位において伸縮フォーム層２２の上方に配置される。排水パイプ１２の他端は、所定の排水位置まで延ばされる。
【００３９】
第１の実施形態と同じく、保護シート１１が折返された止水膜２１の外側に設けられる。第１の実施形態と同じく、折返された止水膜２１上端の湾曲部分と第１の辺の一部が一体化される。第１の実施形態と同じく、保護シート１１の第２の長手方向における両端部が橋桁３０の側面に固定される。
【００４０】
以上のような構成の第２の実施形態の遊間用止水材ユニット１０によっても、止水膜２１および保護シート１１の一部に高い負荷がかからないので、止水膜２１の損壊を長期間防ぐことが可能である。
【００４１】
さらに、第２の実施形態の遊間用止水材ユニット１０によれば、地覆３２の下方において滞留する水を排水パイプ１２により所定の排水位置に排出することが可能である。
【００４２】
第１の実施形態において遊間に流入する水は、遊間用止水材、止水膜、および橋桁の端面によって形成される槽内に滞留する。滞留した水は晴天時に徐々に乾燥することにより蒸散する。しかし、一時的に滞留する水により、止水膜２１の折り返し部位を地覆３２より離れる方向に押し出す力が折り返し部位にかかる。そのため、折り返し部位と地覆３２との間から水が漏れ出す可能性、および止水膜２１が破損する可能性がある。また、滞留する水により伸縮装置が腐食する可能性もある。
【００４３】
一方、本実施形態の遊間用止水材ユニット１０によれば、滞留する水を排出することが可能になる。水を滞留させずに排出することにより、水の漏れ出し、止水膜２１の破損、および伸縮装置の腐食が防がれる。
【００４４】
特に、橋梁の幅方向の端部において従来の形式に比べて遊間用止水材を下方に曲げる工法により遊間用止水材を橋梁に取り付ける場合には、端部に水が滞留しやすい。それゆえ、本実施形態の遊間用止水材ユニット１０を用いて排水する効果はより大きい。
【００４５】
なお、第１、第２の実施形態において、折返された止水膜２１上端の湾曲部分と保護シート１１の第１の辺の一部は接着剤またはシーリング材により接着される構成であるが、他の方法によって付着される構成であってもよい。
【００４６】
例えば、図１０に示すように、止水膜２１の湾曲部分の上端が保護シート１１の上端より鉛直上方に張出されるように、保護シート１１が設けられる。図１１に示すように、止水膜２１の張出し部分を外側に折返すことによって、保護シート１１の上端が止水膜２１に挟み込まれる。保護シート１１を挟み込んだ状態で、止水膜２１の上端は金具を用いて保護シート１１に付着される。このような構成によって、止水膜２１および保護シート１１の上端を一体化させてもよい。
【００４７】
または、図１２に示すように、保護シート１１の上端が折返された止水膜２１上端の湾曲み部分より上方に張出されるように、保護シート１１が設けられる。図１３に示すように、保護シート１１の張出し部分を内側に折返すことによって、止水膜２１の上端が保護シート１１に挟み込まれる。止水膜２１を挟み込んだ状態で、保護シート１１の上端は金具を用いて止水膜２１に付着される。このような構成によって、止水膜２１および保護シート１１の上端を一体化させてもよい。
【００４８】
または、止水膜２１と保護シート１１との上端は付着されなくてもよい。止水膜２１の折返し部分を保護シート１１によって外側から覆えば、止水膜２１を日光や風から保護することが可能である。ただし、伸縮フォーム層２２の劣化を低減化させるために、伸縮フォーム層２２への雨水の流入を防ぐことが好ましい。伸縮フォーム層２２への雨水の流入を防ぐために、止水膜２１と保護シート１１との上端は互いに付着されることが好ましい。
【００４９】
また、第１、第２の実施形態において、保護シート１１を湾曲させて地覆３２の側面に固着させる構成であるが、折返された止水膜２１上端の湾曲部分に合わせた形状に保護シートを予め成形させ、湾曲成形をした部分を折返された止水膜２１上端の湾曲部分に接着させる構成であってもよい。金属板のように剛性の高い部材を用いる場合には、予めこのような成形を施すことが好ましい。
【００５０】
また、第１、第２の実施形態において、間隔が異なる第１、第２の遊間４０ａ、４０ｂに対して遊間用止水材ユニット１０を設ける構成であったが、間隔が同一である第１、第２の遊間４０ａ、４０ｂに設ける構成であってもよい。
【００５１】
例えば、図１４に示すように、第１の長手方向における地覆３２と橋桁３０との長さが同じである場合には、第１、第２の遊間４０ａ、４０ｂの幅は同じである。このような遊間４０においては、図１５に示すように、遊間止水材２０の端部を上方に屈曲させた状態で、第１、第２の遊間４０ａ、４０ｂに圧入される。
【００５２】
第１、第２の実施形態と同様に、止水膜２１および保護シート１１が第１の幅方向に湾曲させた状態で橋桁３０の側面に固定される。このような第１、第２の遊間４０ａ、４０ｂに対しても、第１、第２の実施形態の遊間用止水材ユニット１０を用いることが可能であって、止水膜２１の損壊を長期間防ぐことが可能である。
【００５３】
また、第１、第２の実施形態において、折返された止水膜２１の第１の長手方向における両端近辺が支柱層２４の鉛直上方において地覆３２の側面に固定される構成であるが、支柱層２４の鉛直上方において固定されなくてもよい。ただし、このような位置に固定することにより、止水膜２１および保護シート１１の湾曲部分が、伸縮フォーム層２２と同じ伸縮可能範囲で伸縮可能となる。
【００５４】
また、第１、第２の実施形態において、保護シート１１は止水膜２１の突出部分全体を実質的に覆う構成であるが、全体を覆わなくてもよい。止水膜２１の少なくとも一部を覆うことにより、覆った部分を保護することは可能である。
【００５５】
また、第１、第２の実施形態において、折返された止水膜２１の上端と保護シート１１の上端が重なるように保護シート１１が設けられる構成であるが、重ならなくてもよい。保護シート１１を折返された止水膜１１の上端より上方に張出させる構成であっても、折返された止水膜２１の上端を保護シート１１の内面に接着することにより、第１、第２の実施形態と同じ効果を得ることが可能である。または、折返された止水膜２１を保護シート１１の上端よりも上方に張出させる構成であっても、保護シート１１により覆われた部位を保護することは可能である。
【００５６】
また、第１、第２の実施形態において、止水膜２１、下部層２２、および防塵層２３、の第１の幅方向の長さは互いに一致するように形成されるが、一致するように形成されなくてもよい。また、伸縮フォーム体２２ａ、支柱体２２ｂ、および防塵層２３の第１の長手方向の長さは互いに一致するように形成されるが、一致するように形成されてなくてもよい。また、伸縮フォーム体２２ａと支柱体２２ｂとの第１の厚さ方向の長さは互いに一致するように形成されるが、一致するように形成されなくてもよい。
【００５７】
また、第１、第２の実施形態において、止水膜２１の突出部位および保護シート１１を第１の幅方向に湾曲させる構成であるが、第１の長手方向に沿ってたるませた形状であっても良い。止水膜および保護シートがたるみを有していれば、本実施形態と同様の効果を得ることが可能である。
【符号の説明】
【００５８】
１０  遊間用止水材ユニット
１１  保護シート
１２  排水パイプ
２０  遊間用止水材
２１  止水膜
２２  下部層
２２ａ  伸縮フォーム体
２２ｂ  支柱体
３０  橋桁
３２  地覆
４０ａ、４０ｂ  第１、第２の遊間
【図１】
2011001722.tif 000003
【図２】
2011001722.tif 000004
【図３】
2011001722.tif 000005
【図４】
2011001722.tif 000006
【図５】
2011001722.tif 000007
【図６】
2011001722.tif 000008
【図７】
2011001722.tif 000009
【図８】
2011001722.tif 000010
【図９】
2011001722.tif 000011
【図１０】
2011001722.tif 000012
【図１１】
2011001722.tif 000013
【図１２】
2011001722.tif 000014
【図１３】
2011001722.tif 000015
【図１４】
2011001722.tif 000016
【図１５】
2011001722.tif 000017
【図１６】
2011001722.tif 000018
【図１７】
2011001722.tif 000019
【図１８】
2011001722.tif 000020